(57)【要約】【課題】利便性良好に視聴制限を解除する。【解決手段】デジタル放送受信機のＲＡＭ１２は、受信可能な番組毎に視聴制限を行うか否かの設定情報である番組制限情報を格納する番組制限記憶部１２１を備え、ＭＰＵ１１は、リモコン２を介して設定された１のチャンネルに対応する番組に対して、視聴制限を実行するか否かを、番組制限記憶部１２１に格納された番組制限情報に基づいて判定する番組制限判定部１１１と、番組の視聴をブロックする番組制限実行部１１２と、視聴制限を実行する旨の設定がされていると判定された場合に、リモコン２からの個人識別情報を受け付けて、受け付けられた個人識別情報が、予め設定された個人識別情報と一致するか否かを判定するユーザ判定部１１５と、一致すると判定された場合に、番組制限実行部１１２の動作を禁止する禁止部１１６と、を備えている。【選択図】図３
2008167184.tif 000002
【特許請求の範囲】
【請求項１】
テレビジョン放送を受信し、外部から視認可能にモニタに出力可能に構成されると共に、複数のキーが配設されたリモートコントローラと通信可能に接続された放送受信装置であって、
受信可能な番組毎に、視聴制限を行うか否かの設定情報である番組制限情報を格納する番組制限記憶手段と、
受信可能なチャンネル毎に、視聴制限を行うか否かの設定情報であるチャンネル制限情報を格納するチャンネル制限記憶手段と、
前記リモートコントローラを介して操作入力を受け付けて、受け付けられた操作入力に基づいて、受信するチャンネルを設定するチャンネル設定手段と、
前記チャンネル設定手段によって１のチャンネルが設定された場合に、設定された１のチャンネルに対応する番組に対して、視聴制限を実行する旨の設定がされているか否かを、前記番組制限記憶手段に格納された番組制限情報に基づいて判定する番組制限判定手段と、
前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、
前記番組制限判定手段によって視聴制限を実行する旨の設定がされていると判定された場合に、前記チャンネル設定手段によって設定された１のチャンネルに対応する番組の視聴をブロックする番組制限実行手段と、
前記チャンネル制限判定手段によって視聴制限を実行する旨の設定がされていると判定された場合に、前記チャンネル設定手段によって設定された１のチャンネルの視聴をブロックするチャンネル制限実行手段と、
前記番組制限判定手段及びチャンネル制限判定手段の少なくとも一方によって視聴制限を実行する旨の設定がされていると判定された場合に、前記リモートコントローラから、前記複数のキーの内、予め設定された特定のキーに対応する操作信号を受け付けたか否かを判定し、特定のキーに対応する操作信号を受け付けたと判定された場合に、暗証番号情報を受け付け、受け付けられた暗証番号情報が、予め設定された暗証番号情報と一致するか否かを判定するユーザ判定手段と、
前記ユーザ判定手段によって一致すると判定された場合に、前記番組制限実行手段及びチャンネル制限実行手段の動作を禁止する禁止手段と、
前記禁止手段によって前記番組制限実行手段及びチャンネル制限実行手段の動作が禁止されている場合に、前記リモートコントローラから、前記特定のキーに対応する操作信号を受け付けたか否かを判定する禁止解除受付手段と、
前記禁止手段によって前記番組制限実行手段及びチャンネル制限実行手段の動作が禁止されている場合に、前記チャンネル設定手段によって他のチャンネルが設定されたか否かを判定するチャンネル変更判定手段と、
番組毎に、開始時刻情報及び終了時刻情報を格納する番組情報記憶手段と、
前記禁止手段によって前記番組制限実行手段及びチャンネル制限実行手段の動作が禁止されている場合に、前記番組情報記憶手段に基づいて、前記番組制限実行手段及びチャンネル制限実行手段の動作が禁止されている番組の終了時刻に到達したか否かを判定する番組判定手段と、
を備え、
前記禁止手段は、前記禁止解除受付手段によって前記特定のキーに対応する操作信号が受け付けられたと判定された場合、前記チャンネル変更判定手段によって他のチャンネルが設定されたと判定された場合、又は、前記番組判定手段によって番組の終了時刻に到達したと判定された場合に、前記番組制限実行手段及びチャンネル制限実行手段の動作の禁止を解除することを特徴とする放送受信装置。
【請求項２】
テレビジョン放送を受信し、外部から視認可能にモニタに出力可能に構成された放送受信装置であって、
受信可能な番組毎に、視聴制限を行うか否かの設定情報である番組制限情報を格納する番組制限記憶手段と、
外部からの操作入力を受け付けて、受け付けられた操作入力に基づいて、受信するチャンネルを設定するチャンネル設定手段と、
前記チャンネル設定手段によって１のチャンネルが設定された場合に、設定された１のチャンネルに対応する番組に対して、視聴制限を実行する旨の設定がされているか否かを、前記番組制限記憶手段に格納された番組制限情報に基づいて判定する番組制限判定手段と、
前記番組制限判定手段によって視聴制限を実行する旨の設定がされていると判定された場合に、前記チャンネル設定手段によって設定された１のチャンネルに対応する番組の視聴をブロックする番組制限実行手段と、
前記番組制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定するユーザ判定手段と、
前記ユーザ判定手段によって一致すると判定された場合に、前記番組制限実行手段の動作を禁止する禁止手段と、
を備えることを特徴とする放送受信装置。
【請求項３】
受信可能なチャンネル毎に、視聴制限を行うか否かの設定情報であるチャンネル制限情報を格納するチャンネル制限記憶手段と、
外部からの操作入力を受け付けて、受け付けられた操作入力に基づいて、受信するチャンネルを設定するチャンネル設定手段と、
前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、
前記チャンネル制限判定手段によって視聴制限を実行する旨の設定がされていると判定された場合に、前記チャンネル設定手段によって設定された１のチャンネルの視聴をブロックするチャンネル制限実行手段と、
を備え、
前記ユーザ判定手段は、前記チャンネル制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定し、
前記禁止手段は、前記ユーザ判定手段によって一致すると判定された場合に、前記チャンネル制限実行手段の動作を禁止することを特徴とする請求項２に記載の放送受信装置。
【請求項４】
前記ユーザ判定手段は、個人識別情報として暗証番号情報を用いることを特徴とする請求項３に記載の放送受信装置。
【請求項５】
複数のキーが配設されたリモートコントローラと通信可能に接続され、
前記ユーザ判定手段は、前記リモートコントローラから、前記複数のキーの内、予め設定された特定のキーに対応する操作信号を受け付けたか否かを判定し、特定のキーに対応する操作信号を受け付けたと判定された場合に、前記暗証番号情報を受け付けることを特徴とする請求項４に記載の放送受信装置。
【請求項６】
前記禁止手段によって前記番組制限実行手段及びチャンネル制限実行手段の動作が禁止されている場合に、前記リモートコントローラから、前記特定のキーに対応する操作信号を受け付けたか否かを判定する禁止解除受付手段を備え、
前記禁止手段は、前記禁止解除受付手段によって前記特定のキーに対応する操作信号が受け付けられたと判定された場合に、前記番組制限実行手段及びチャンネル制限実行手段の動作の禁止を解除することを特徴とする請求項５に記載の放送受信装置。
【請求項７】
前記禁止手段によって前記番組制限実行手段及びチャンネル制限実行手段の動作が禁止されている場合に、前記チャンネル設定手段によって他のチャンネルが設定されたか否かを判定するチャンネル変更判定手段を備え、
前記禁止手段は、前記チャンネル変更判定手段によって他のチャンネルが設定されたと判定された場合に、前記番組制限実行手段及びチャンネル制限実行手段の動作の禁止を解除する特徴とする請求項３〜請求項６のいずれかに記載の放送受信装置。
【請求項８】
番組毎に、開始時刻情報及び終了時刻情報を格納する番組情報記憶手段と、
前記禁止手段によって前記番組制限実行手段及びチャンネル制限実行手段の動作が禁止されている場合に、前記番組情報記憶手段に基づいて、前記番組制限実行手段及びチャンネル制限実行手段の動作が禁止されている番組の終了時刻に到達したか否かを判定する番組判定手段と、
を備え、
前記禁止手段は、前記番組判定手段によって番組の終了時刻に到達したと判定された場合には、前記番組制限実行手段及びチャンネル制限実行手段の動作の禁止を解除することを特徴とする請求項３〜請求項７のいずれかに記載の放送受信装置。
【請求項９】
テレビジョン放送を受信し、外部から視認可能にモニタに出力可能に構成された放送受信装置であって、
受信可能なチャンネル毎に、視聴制限を行うか否かの設定情報であるチャンネル制限情報を格納するチャンネル制限記憶手段と、
外部からの操作入力を受け付けて、受け付けられた操作入力に基づいて、受信するチャンネルを設定するチャンネル設定手段と、
前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、
前記チャンネル制限判定手段によって視聴制限を実行する旨の設定がされていると判定された場合に、前記チャンネル設定手段によって設定された１のチャンネルの視聴をブロックするチャンネル制限実行手段と、
前記チャンネル制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定するユーザ判定手段と、
前記ユーザ判定手段によって一致すると判定された場合に、前記チャンネル制限実行手段の動作を禁止する禁止手段と、
を備えることを特徴とする放送受信装置。
【発明の詳細な説明】
【技術分野】
【０００１】
本発明は、テレビジョン放送を受信し、外部から視認可能にモニタに出力可能に構成された放送受信装置に関する。特に、デジタル放送を受信し、視聴制限を実行可能に構成されたデジタル放送受信機に関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、暴力シーン、猥褻なシーン等を含む番組が増加しており、このような番組を子供等に見せないように、子供等が視聴できる番組を制限する要求が高まっている。
【０００３】
この課題を解消するために、種々の装置が提案されている。例えば、リモコンを操作して、ＴＶセットアップ画面、アクセスコード画面、Ｖ−ＣＨＩＰ設定画面、ＭＰＡＡレイティング設定画面、を順次表示させて、視聴制限条件を設定するテレビジョン受像装置が開示されている（特許文献１参照）。このテレビジョン受像装置では、アクセスコードを入力させることによって、子供等による視聴制限条件の設定（又は、設定の変更）を防止している。
【特許文献１】特開２００６−１８０１２１号公報
【発明の開示】
【発明が解決しようとする課題】
【０００４】
しかしながら、上記テレビジョン受像装置では、子供等が視聴できる番組を有効に制限することはできるものの、親等が、視聴制限の対象となっている番組の視聴をする場合には、上記の操作を行って視聴制限を解除する必要がある。また、一旦、視聴制限を解除した場合に、視聴制限を有効とするためには、再度、上記の操作を行って視聴制限を行う必要がある。従って、上記テレビジョン受像装置では、親等が、視聴制限の対象となっている番組の視聴をする際に、必要な操作が煩雑である場合があった。
【０００５】
本発明は、上記課題に鑑みてなされたものであって、利便性良好に視聴制限を解除することの可能な放送受信装置を提供することを目的としている。
【課題を解決するための手段】
【０００６】
上記目的を達成するために請求項１に記載の放送受信装置は、テレビジョン放送を受信し、外部から視認可能にモニタに出力可能に構成されると共に、複数のキーが配設されたリモートコントローラと通信可能に接続された放送受信装置であって、受信可能な番組毎に、視聴制限を行うか否かの設定情報である番組制限情報を格納する番組制限記憶手段と、受信可能なチャンネル毎に、視聴制限を行うか否かの設定情報であるチャンネル制限情報を格納するチャンネル制限記憶手段と、前記リモートコントローラを介して操作入力を受け付けて、受け付けられた操作入力に基づいて、受信するチャンネルを設定するチャンネル設定手段と、前記チャンネル設定手段によって１のチャンネルが設定された場合に、設定された１のチャンネルに対応する番組に対して、視聴制限を実行する旨の設定がされているか否かを、前記番組制限記憶手段に格納された番組制限情報に基づいて判定する番組制限判定手段と、前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、前記番組制限判定手段によって視聴制限を実行する旨の設定がされていると判定された場合に、前記チャンネル設定手段によって設定された１のチャンネルに対応する番組の視聴をブロックする番組制限実行手段と、前記チャンネル制限判定手段によって視聴制限を実行する旨の設定がされていると判定された場合に、前記チャンネル設定手段によって設定された１のチャンネルの視聴をブロックするチャンネル制限実行手段と、前記番組制限判定手段及びチャンネル制限判定手段の少なくとも一方によって視聴制限を実行する旨の設定がされていると判定された場合に、前記リモートコントローラから、前記複数のキーの内、予め設定された特定のキーに対応する操作信号を受け付けたか否かを判定し、特定のキーに対応する操作信号を受け付けたと判定された場合に、暗証番号情報を受け付け、受け付けられた暗証番号情報が、予め設定された暗証番号情報と一致するか否かを判定するユーザ判定手段と、前記ユーザ判定手段によって一致すると判定された場合に、前記番組制限実行手段及びチャンネル制限実行手段の動作を禁止する禁止手段と、前記禁止手段によって前記番組制限実行手段及びチャンネル制限実行手段の動作が禁止されている場合に、前記リモートコントローラから、前記特定のキーに対応する操作信号を受け付けたか否かを判定する禁止解除受付手段と、前記禁止手段によって前記番組制限実行手段及びチャンネル制限実行手段の動作が禁止されている場合に、前記チャンネル設定手段によって他のチャンネルが設定されたか否かを判定するチャンネル変更判定手段と、番組毎に、開始時刻情報及び終了時刻情報を格納する番組情報記憶手段と、前記禁止手段によって前記番組制限実行手段及びチャンネル制限実行手段の動作が禁止されている場合に、前記番組情報記憶手段に基づいて、前記番組制限実行手段及びチャンネル制限実行手段の動作が禁止されている番組の終了時刻に到達したか否かを判定する番組判定手段と、を備え、前記禁止手段が、前記禁止解除受付手段によって前記特定のキーに対応する操作信号が受け付けられたと判定された場合、前記チャンネル変更判定手段によって他のチャンネルが設定されたと判定された場合、又は、前記番組判定手段によって番組の終了時刻に到達したと判定された場合に、前記番組制限実行手段及びチャンネル制限実行手段の動作の禁止を解除することを特徴としている。
【０００７】
請求項２に記載の放送受信装置は、テレビジョン放送を受信し、外部から視認可能にモニタに出力可能に構成された放送受信装置であって、受信可能な番組毎に、視聴制限を行うか否かの設定情報である番組制限情報を格納する番組制限記憶手段と、外部からの操作入力を受け付けて、受け付けられた操作入力に基づいて、受信するチャンネルを設定するチャンネル設定手段と、前記チャンネル設定手段によって１のチャンネルが設定された場合に、設定された１のチャンネルに対応する番組に対して、視聴制限を実行する旨の設定がされているか否かを、前記番組制限記憶手段に格納された番組制限情報に基づいて判定する番組制限判定手段と、前記番組制限判定手段によって視聴制限を実行する旨の設定がされていると判定された場合に、前記チャンネル設定手段によって設定された１のチャンネルに対応する番組の視聴をブロックする番組制限実行手段と、前記番組制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定するユーザ判定手段と、前記ユーザ判定手段によって一致すると判定された場合に、前記番組制限実行手段の動作を禁止する禁止手段と、を備えることを特徴としている。
【０００８】
請求項３に記載の放送受信装置は、請求項２に記載の放送受信装置であって、受信可能なチャンネル毎に、視聴制限を行うか否かの設定情報であるチャンネル制限情報を格納するチャンネル制限記憶手段と、外部からの操作入力を受け付けて、受け付けられた操作入力に基づいて、受信するチャンネルを設定するチャンネル設定手段と、前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、前記チャンネル制限判定手段によって視聴制限を実行する旨の設定がされていると判定された場合に、前記チャンネル設定手段によって設定された１のチャンネルの視聴をブロックするチャンネル制限実行手段と、を備え、前記ユーザ判定手段が、前記チャンネル制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定し、前記禁止手段が、前記ユーザ判定手段によって一致すると判定された場合に、前記チャンネル制限実行手段の動作を禁止することを特徴としている。
【０００９】
請求項４に記載の放送受信装置は、請求項３に記載の放送受信装置であって、前記ユーザ判定手段が、個人識別情報として暗証番号情報を用いることを特徴としている。
【００１０】
請求項５に記載の放送受信装置は、請求項４に記載の放送受信装置であって、複数のキーが配設されたリモートコントローラと通信可能に接続され、前記ユーザ判定手段が、前記リモートコントローラから、前記複数のキーの内、予め設定された特定のキーに対応する操作信号を受け付けたか否かを判定し、特定のキーに対応する操作信号を受け付けたと判定された場合に、前記暗証番号情報を受け付けることを特徴としている。
【００１１】
請求項６に記載の放送受信装置は、請求項５に記載の放送受信装置であって、前記禁止手段によって前記番組制限実行手段及びチャンネル制限実行手段の動作が禁止されている場合に、前記リモートコントローラから、前記特定のキーに対応する操作信号を受け付けたか否かを判定する禁止解除受付手段を備え、前記禁止手段が、前記禁止解除受付手段によって前記特定のキーに対応する操作信号が受け付けられたと判定された場合に、前記番組制限実行手段及びチャンネル制限実行手段の動作の禁止を解除することを特徴としている。
【００１２】
請求項７に記載の放送受信装置は、請求項３〜請求項６のいずれかに記載の放送受信装置であって、前記禁止手段によって前記番組制限実行手段及びチャンネル制限実行手段の動作が禁止されている場合に、前記チャンネル設定手段によって他のチャンネルが設定されたか否かを判定するチャンネル変更判定手段を備え、前記禁止手段が、前記チャンネル変更判定手段によって他のチャンネルが設定されたと判定された場合に、前記番組制限実行手段及びチャンネル制限実行手段の動作の禁止を解除する特徴としている。
【００１３】
請求項８に記載の放送受信装置は、請求項３〜請求項７のいずれかに記載の放送受信装置であって、番組毎に、開始時刻情報及び終了時刻情報を格納する番組情報記憶手段と、前記禁止手段によって前記番組制限実行手段及びチャンネル制限実行手段の動作が禁止されている場合に、前記番組情報記憶手段に基づいて、前記番組制限実行手段及びチャンネル制限実行手段の動作が禁止されている番組の終了時刻に到達したか否かを判定する番組判定手段と、を備え、前記禁止手段が、前記番組判定手段によって番組の終了時刻に到達したと判定された場合には、前記番組制限実行手段及びチャンネル制限実行手段の動作の禁止を解除することを特徴としている。
【００１４】
請求項９に記載の放送受信装置は、テレビジョン放送を受信し、外部から視認可能にモニタに出力可能に構成された放送受信装置であって、受信可能なチャンネル毎に、視聴制限を行うか否かの設定情報であるチャンネル制限情報を格納するチャンネル制限記憶手段と、外部からの操作入力を受け付けて、受け付けられた操作入力に基づいて、受信するチャンネルを設定するチャンネル設定手段と、前記チャンネル設定手段によって１のチャンネルが設定された場合に、設定された１のチャンネルに対して、視聴制限を実行する旨の設定がされているか否かを、前記チャンネル制限記憶手段に格納されたチャンネル制限情報に基づいて判定するチャンネル制限判定手段と、前記チャンネル制限判定手段によって視聴制限を実行する旨の設定がされていると判定された場合に、前記チャンネル設定手段によって設定された１のチャンネルの視聴をブロックするチャンネル制限実行手段と、前記チャンネル制限判定手段によって視聴制限を実行する旨の設定がされていると判定された場合に、外部からのユーザを識別する情報である個人識別情報を受け付けて、受け付けられた個人識別情報が、予め設定された個人識別情報と一致するか否かを判定するユーザ判定手段と、前記ユーザ判定手段によって一致すると判定された場合に、前記チャンネル制限実行手段の動作を禁止する禁止手段と、を備えることを特徴としている。
【発明の効果】
【００１５】
請求項１に記載の放送受信装置によれば、受信可能な番組毎に、視聴制限を行うか否かの設定情報である番組制限情報が番組制限記憶手段に格納されており、外部からの操作入力が受け付けられて、受け付けられた操作入力に基づいて、受信するチャンネルが設定され、１のチャンネルが設定された場合に、設定された１のチャンネルに対応する番組に対して、視聴制限を実行する旨の設定がされているか否かが、番組制限記憶手段に格納された番組制限情報に基づいて判定される。そして、視聴制限を実行する旨の設定がされていると判定された場合に、設定された１のチャンネルに対応する番組の視聴がブロックされると共に、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【００１６】
すなわち、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、番組制限記憶手段に格納された番組制限情報を変更することなく番組の視聴をブロックする動作が禁止される（＝番組を視聴することができる）ので、利便性良好に視聴制限を解除することができるのである。
【００１７】
また、受信可能なチャンネル毎に、視聴制限を行うか否かの設定情報であるチャンネル制限情報がチャンネル制限記憶手段に格納されており、外部からの操作入力を受け付けられて、受け付けられた操作入力に基づいて、受信するチャンネルが設定され、１のチャンネルが設定された場合に、設定された１のチャンネルに対して、視聴制限を実行する旨の設定がされているか否かが、チャンネル制限記憶手段に格納されたチャンネル制限情報に基づいて判定される。そして、視聴制限を実行する旨の設定がされていると判定された場合に、設定された１のチャンネルの視聴がブロックされると共に、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【００１８】
すなわち、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、チャンネル制限記憶手段に格納されたチャンネル制限情報を変更することなく番組の視聴をブロックする動作が禁止される（＝番組を視聴することができる）ので、利便性良好に視聴制限を解除することができるのである。
【００１９】
更に、個人識別情報として暗証番号情報が用いられるため、予め設定された個人識別情報と一致するか否かの判定を容易に行うことができるので、更に利便性良好に視聴制限を解除することができる。
【００２０】
加えて、リモートコントローラから、複数のキーの内、予め設定された特定のキーに対応する操作信号を受け付けたか否かが判定され、特定のキーに対応する操作信号を受け付けたと判定された場合に、暗証番号情報が受け付けられるため、更に利便性良好に視聴制限を解除することができる。
【００２１】
すなわち、視聴制限を解除する場合には、リモートコントローラに配設された特定のキーを押下した後、暗証番号を入力すればよいため、更に利便性良好に視聴制限を解除することができるのである。
【００２２】
また、番組の視聴をブロックする動作が禁止されている場合に、リモートコントローラから、特定のキーに対応する操作信号を受け付けたか否かが判定され、特定のキーに対応する操作信号が受け付けられたと判定された場合に、番組の視聴をブロックする動作の禁止が解除される（＝番組の視聴がブロックされる）ため、利便性良好に解除された視聴制限を動作させることができる。
【００２３】
すなわち、解除された視聴制限を動作させる場合には、リモートコントローラに配設された特定のキーを押下すればよいため、利便性良好に解除された視聴制限を動作させることができるのである。例えば、視聴制限の対象である番組を視聴中に、子供等が該放送受信装置の配設されている部屋に入ってきた場合に、簡単な操作（＝特定のキーを押下する操作）で解除された視聴制限を動作させることができるのである。
【００２４】
更に、番組の視聴をブロックする動作が禁止されている場合に、他のチャンネルが設定されたか否かが判定され、他のチャンネルが設定されたと判定された場合に、番組の視聴をブロックする動作の禁止が解除される（＝番組の視聴がブロックされる）ため、利便性良好に解除された視聴制限を動作させることができる。
【００２５】
すなわち、１のチャンネルで受信されている番組の視聴をブロックする動作が禁止されている場合に、他のチャンネルが設定された場合（＝チャンネルが変更された場合）に、１のチャンネルで受信されている番組の視聴をブロックする動作の禁止が解除される（＝番組の視聴がブロックされる）ため、利便性良好に解除された視聴制限を動作させることができるのである。
【００２６】
例えば、視聴制限の対象である番組を視聴中に、子供等が該放送受信装置の配設されている部屋に入ってきた場合に、簡単な操作（＝チャンネルを変更する操作）で解除された視聴制限を動作させることができるのである。
【００２７】
加えて、番組毎に、開始時刻情報及び終了時刻情報が番組情報記憶手段に格納されており、番組の視聴をブロックする動作が禁止されている場合に、番組情報記憶手段に基づいて、視聴をブロックする動作が禁止されている番組の終了時刻に到達したか否かが判定される。そして、番組の終了時刻に到達したと判定された場合には、番組の視聴をブロックする動作の禁止が解除されるため、利便性良好に解除された視聴制限を動作させることができる。
【００２８】
すなわち、視聴をブロックする動作が禁止されている番組の終了時刻に到達したと判定された場合には、番組の視聴をブロックする動作の禁止が解除されるため、何らかの事情により、視聴者が解除された視聴制限を動作させる操作を行わなかった場合であっても、利便性良好に解除された視聴制限を動作させることができるのである。
【００２９】
例えば、番組の視聴をブロックする動作が禁止されている状態で、親等の視聴者が急用で外出した場合であっても、視聴をブロックする動作が禁止されている番組の終了時刻に到達したと判定された場合には、番組の視聴をブロックする動作の禁止が解除されるため、利便性良好に解除された視聴制限を動作させることができるのである。
【００３０】
請求項２に記載の放送受信装置によれば、受信可能な番組毎に、視聴制限を行うか否かの設定情報である番組制限情報が番組制限記憶手段に格納されており、外部からの操作入力が受け付けられて、受け付けられた操作入力に基づいて、受信するチャンネルが設定され、１のチャンネルが設定された場合に、設定された１のチャンネルに対応する番組に対して、視聴制限を実行する旨の設定がされているか否かが、番組制限記憶手段に格納された番組制限情報に基づいて判定される。そして、視聴制限を実行する旨の設定がされていると判定された場合に、設定された１のチャンネルに対応する番組の視聴がブロックされると共に、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【００３１】
すなわち、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、番組制限記憶手段に格納された番組制限情報を変更することなく番組の視聴をブロックする動作が禁止される（＝番組を視聴することができる）ので、利便性良好に視聴制限を解除することができるのである。
【００３２】
請求項３に記載の放送受信装置によれば、受信可能なチャンネル毎に、視聴制限を行うか否かの設定情報であるチャンネル制限情報がチャンネル制限記憶手段に格納されており、外部からの操作入力を受け付けられて、受け付けられた操作入力に基づいて、受信するチャンネルが設定され、１のチャンネルが設定された場合に、設定された１のチャンネルに対して、視聴制限を実行する旨の設定がされているか否かが、チャンネル制限記憶手段に格納されたチャンネル制限情報に基づいて判定される。そして、視聴制限を実行する旨の設定がされていると判定された場合に、設定された１のチャンネルの視聴がブロックされると共に、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【００３３】
すなわち、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、チャンネル制限記憶手段に格納されたチャンネル制限情報を変更することなく番組の視聴をブロックする動作が禁止される（＝番組を視聴することができる）ので、利便性良好に視聴制限を解除することができるのである。
【００３４】
請求項４に記載の放送受信装置によれば、個人識別情報として暗証番号情報が用いられるため、予め設定された個人識別情報と一致するか否かの判定を容易に行うことができるので、更に利便性良好に視聴制限を解除することができる。
【００３５】
請求項５に記載の放送受信装置によれば、リモートコントローラから、複数のキーの内、予め設定された特定のキーに対応する操作信号を受け付けたか否かが判定され、特定のキーに対応する操作信号を受け付けたと判定された場合に、暗証番号情報が受け付けられるため、更に利便性良好に視聴制限を解除することができる。
【００３６】
すなわち、視聴制限を解除する場合には、リモートコントローラに配設された特定のキーを押下した後、暗証番号を入力すればよいため、更に利便性良好に視聴制限を解除することができるのである。
【００３７】
請求項６に記載の放送受信装置によれば、番組の視聴をブロックする動作が禁止されている場合に、リモートコントローラから、特定のキーに対応する操作信号を受け付けたか否かが判定され、特定のキーに対応する操作信号が受け付けられたと判定された場合に、番組の視聴をブロックする動作の禁止が解除される（＝番組の視聴がブロックされる）ため、利便性良好に解除された視聴制限を動作させることができる。
【００３８】
すなわち、解除された視聴制限を動作させる場合には、リモートコントローラに配設された特定のキーを押下すればよいため、利便性良好に解除された視聴制限を動作させることができるのである。例えば、視聴制限の対象である番組を視聴中に、子供等が該放送受信装置の配設されている部屋に入ってきた場合に、簡単な操作（＝特定のキーを押下する操作）で解除された視聴制限を動作させることができるのである。
【００３９】
請求項７に記載の放送受信装置によれば、番組の視聴をブロックする動作が禁止されている場合に、他のチャンネルが設定されたか否かが判定され、他のチャンネルが設定されたと判定された場合に、番組の視聴をブロックする動作の禁止が解除される（＝番組の視聴がブロックされる）ため、利便性良好に解除された視聴制限を動作させることができる。
【００４０】
すなわち、１のチャンネルで受信されている番組の視聴をブロックする動作が禁止されている場合に、他のチャンネルが設定された場合（＝チャンネルが変更された場合）に、１のチャンネルで受信されている番組の視聴をブロックする動作の禁止が解除される（＝番組の視聴がブロックされる）ため、利便性良好に解除された視聴制限を動作させることができるのである。
【００４１】
例えば、視聴制限の対象である番組を視聴中に、子供等が該放送受信装置の配設されている部屋に入ってきた場合に、簡単な操作（＝チャンネルを変更する操作）で解除された視聴制限を動作させることができるのである。
【００４２】
請求項８に記載の放送受信装置によれば、番組毎に、開始時刻情報及び終了時刻情報が番組情報記憶手段に格納されており、番組の視聴をブロックする動作が禁止されている場合に、番組情報記憶手段に基づいて、視聴をブロックする動作が禁止されている番組の終了時刻に到達したか否かが判定される。そして、番組の終了時刻に到達したと判定された場合には、番組の視聴をブロックする動作の禁止が解除されるため、利便性良好に解除された視聴制限を動作させることができる。
【００４３】
すなわち、視聴をブロックする動作が禁止されている番組の終了時刻に到達したと判定された場合には、番組の視聴をブロックする動作の禁止が解除されるため、何らかの事情により、視聴者が解除された視聴制限を動作させる操作を行わなかった場合であっても、利便性良好に解除された視聴制限を動作させることができるのである。
【００４４】
例えば、番組の視聴をブロックする動作が禁止されている状態で、親等の視聴者が急用で外出した場合であっても、視聴をブロックする動作が禁止されている番組の終了時刻に到達したと判定された場合には、番組の視聴をブロックする動作の禁止が解除されるため、利便性良好に解除された視聴制限を動作させることができるのである。
【００４５】
請求項９に記載の放送受信装置によれば、受信可能なチャンネル毎に、視聴制限を行うか否かの設定情報であるチャンネル制限情報がチャンネル制限記憶手段に格納されており、外部からの操作入力が受け付けられて、受け付けられた操作入力に基づいて、受信するチャンネルが設定され、設定された１のチャンネルに対して、視聴制限を実行する旨の設定がされているか否かが、チャンネル制限記憶手段に格納されたチャンネル制限情報に基づいて判定される。そして、視聴制限を実行する旨の設定がされていると判定された場合に、設定された１のチャンネルの視聴がブロックされると共に、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【００４６】
すなわち、外部からのユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、チャンネル制限記憶手段に格納されたチャンネル制限情報を変更することなく番組の視聴をブロックする動作が禁止される（＝番組を視聴することができる）ので、利便性良好に視聴制限を解除することができるのである。
【発明を実施するための最良の形態】
【００４７】
以下に本発明の実施形態を、図面を参照しながら説明する。図２は、本発明に係るデジタル放送受信機１の構成の一例を示すブロック図である。デジタル放送受信機１（放送受信装置に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００４８】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００５０】
操作部１４は、電源のＯＮ、ＯＦＦ操作、選局等の各種操作を受け付けるものである。受信部１５は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００５１】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００５２】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００５３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００５４】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５５】
赤外線通信部１９は、リモコン２からの電源のＯＮ、ＯＦＦ操作、選局、デジタル放送受信機１の各種設定（視聴制限設定等）等の各種操作を受け付けるものである。
【００５６】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５７】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、視聴制限テーブル情報等を含む制御情報からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５８】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００５９】
図２は、リモコン２の外観の一例を示す図である。リモコン２は、ユーザからの操作入力を受け付けて、操作入力に対応する赤外線信号を生成して、デジタル放送受信機１に対して出力するものであって、赤外線信号出力部２１、パワーキー２２、テンキー２３、解除キー２４、及び、チャンネルキー２５を備えている。赤外線信号出力部２１は、ユーザによって押下されたキーに対応する操作信号を生成し、赤外線信号に変換してデジタル放送受信機１に対して送信するものである。
【００６０】
パワーキー２２（禁止解除受付手段の一部に相当する）は、デジタル放送受信機１の電源を投入（＝ＯＮ）又は遮断（＝ＯＦＦ）する場合に押下されるキーである。また、パワーキー２２は、解除された視聴制限を動作させる場合（＝初期状態に戻す）に押下されるキーである。テンキー２３（チャンネル設定手段の一部、ユーザ判定手段の一部に相当する）は、「０」〜「９」の数字に対応するキーを備え、チャンネル番号、暗証番号等を入力する場合に押下されるキーである。解除キー２４（特定のキーに相当する、ユーザ判定手段の一部、禁止解除受付手段の一部に相当する）は、視聴制限を解除する場合、又は、解除された視聴制限を動作させる場合に押下されるキーである。チャンネルキー２５（チャンネル設定手段の一部に相当する）は、予め設定された順序でチャンネルを変更する場合に押下されるキーである。
【００６１】
図３は、本発明に係るデジタル放送受信機１における主要部の構成の一例を示すブロック図である。デジタル放送受信機１のＭＰＵ１１は、機能的に、チャンネル設定部１１０、番組制限判定部１１１、番組制限実行部１１２、チャンネル制限判定部１１３、チャンネル制限実行部１１４、ユーザ判定部１１５、禁止部１１６、禁止解除受付部１１７、チャンネル変更判定部１１８、及び、番組判定部１１９を備えている。また、ＲＡＭ１２は、機能的に、番組制限記憶部１２１、チャンネル制限記憶部１２２、及び、番組情報記憶部１２３を備えている。
【００６２】
ここでは、ＭＰＵ１１が、図１に示すＲＯＭ１３等に予め格納された制御プログラムを読み出して実行することにより、チャンネル設定部１１０、番組制限判定部１１１、番組制限実行部１１２、チャンネル制限判定部１１３、チャンネル制限実行部１１４、ユーザ判定部１１５、禁止部１１６、禁止解除受付部１１７、チャンネル変更判定部１１８、番組判定部１１９等の機能部として機能すると共に、ＲＡＭ１２を、番組制限記憶部１２１、チャンネル制限記憶部１２２、番組情報記憶部１２３等の機能部として機能させるものである。
【００６３】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００６４】
番組制限記憶部１２１（番組制限記憶手段に相当する）は、受信可能な番組毎に、視聴制限を行うか否かの設定情報である番組制限情報を格納するものである。具体的には、例えば、下記の方法によって予め番組制限情報が設定され、後述する番組情報テーブル（＝ＥＩＴ）に含まれる番組識別情報と対応付けて番組制限記憶部１２１に格納されているものである。
【００６５】
図１に示す受信部１５を介して、放送中に送信されるＲＲＴ（Ｒａｔｉｎｇ  Ｒｅｇｉｏｎ  Ｔａｂｌｅ）を取得して、取得されたＲＲＴに基づいて列方向の位置及び行方向の位置に応じて予め設定された視聴制限条件が規定されたテーブルである視聴制限テーブル（＝以下、「レイティングテーブル」という）をＲＡＭ１３等に格納する。
【００６６】
また、番組毎の視聴制限条件を規定する番組視聴制限情報は、番組情報テーブル（Ｅｖｅｎｔ  Ｉｎｆｏｒｍａｔｉｏｎ  Ｔａｂｌｅ、以下「ＥＩＴ」という）内に含まれる情報であって、レイティングテーブルの列方向の位置を示す列番号情報及び行方向の位置を示す行番号情報として視聴制限条件を規定するＣＡＤ（Ｃｏｎｔｅｎｔ  Ａｄｖｉｓｏｒｙ  Ｄｅｓｃｒｉｐｔｏｒ）として図１に示す受信部１５を介して取得される。
【００６７】
そして、ＣＡＤによって規定される番組視聴制限を実行するか否か（＝視聴をブロックするか否か）否かの設定を、ユーザがリモコン２を介して、レイティングテーブルを参照して行うことによって、番組の視聴をブロックするか否かを示す設定情報である番組制限情報が生成されるのである。
【００６８】
図４は、レイティングテーブルの一例を示す図表である。図４に示すように、レイティングテーブルは、例えば、第１列は、レイティング項目名称が「ＴＶ−ＡＡ」に設定されたオーダータイプの視聴制限条件であって、ここでは、ＭＰＡＡ（Ｍｏｔｉｏｎ  Ｐｉｃｔｕｒｅ  Ａｓｓｏｃｉａｔｉｏｎ  ｏｆ  Ａｍｅｒｉｃａ）規格のレイティングである。第１列の第１行から順に、Ｘ、ＮＣ−１７、Ｒ、ＰＧ−１３、ＰＧ、Ｇ、ＮＲの各文字列で規定された視聴制限条件を示している。
【００６９】
第１行のＸは、ＮＣ−１７の古い規格であることを示している。第２行のＮＣ−１７（Ｎｏ  ｃｈｉｌｄｒｅｎ  ｕｎｄｅｒ  １７）は、１８歳未満（１７歳以下）の視聴を禁止したものであることを示している。第３行のＲ（Ｒｅｓｔｒｉｃｔｅｄ）は、１７歳未満（１６歳以下）の鑑賞は保護者同伴が要求されることを示している。第４行のＰＧ−１３（Ｐａｒｅｎｔｓ  ｓｔｒｏｎｇｌｙ  ｃａｕｔｉｏｎｅｄ）は、１３歳未満（１２歳以下）の子供の観賞については、保護者の厳重な注意が必要であることを示している。
【００７０】
第５行のＰＧ（Ｐａｒｅｎｔａｌ  Ｇｕｉｄａｎｃｅ  ｓｕｇｇｅｓｔｅｄ）は、子供に見せる前に保護者が内容を検討することを提案したものであることを示している。第６行のＧ（Ｇｅｎｅｒａｌ  ａｕｄｉｅｎｃｅｓ）は、全年齢に適していることを示している。第７行のＮＲ（Ｎｏｔ  Ｒａｔｅｄ）は、視聴制限がないことを示している。
【００７１】
再び、図３を用いて、デジタル放送受信機１における主要部の構成について説明する。チャンネル制限記憶部１２２（チャンネル制限記憶手段に相当する）は、受信可能なチャンネル毎に、視聴制限を行うか否かの設定情報であるチャンネル制限情報を格納するものである。具体的には、例えば、予め受信可能なチャンネル毎に、ユーザがリモコン２を介して、視聴制限を行うか否かの設定を行うことによって、チャンネル制限情報が生成され、チャンネルを識別する情報であるチャンネル識別情報（例えば、チャンネル番号情報）と対応付けてチャンネル制限記憶部１２２に格納されているものである。
【００７２】
番組情報記憶部１２３（番組情報記憶手段に相当する）は、番組毎に、開始時刻情報及び終了時刻情報を格納するものである。ここで、番組毎の開始時刻情報及び終了時刻情報は、例えば、番組情報テーブル（＝ＥＩＴ）内に含まれるものであって、予め、図１に示す受信部１５を介して番組情報テーブルが取得され、番組情報テーブルに含まれる開始時刻情報及び終了時刻情報が、番組情報テーブルに含まれる番組を識別する情報である番組識別情報と対応付けて番組情報記憶部１２３に格納されているものである。
【００７３】
チャンネル設定部１１０（チャンネル設定手段の一部に相当する）は、リモコン２に配設されたテンキー２３又はチャンネルキー２５（図２参照）に対応する操作信号が受け付けられた場合に、受け付けられた操作信号に基づいて、受信するチャンネルを設定又は変更する（＝図１に示す受信部１５のチューナ部１５２によって受信するトランスポンダの切換が行われる）ものである。
【００７４】
番組制限判定部１１１（番組制限判定手段に相当する）は、チャンネル設定部１１０によって１のチャンネルが設定（又は変更）された場合に、設定（又は変更）された１のチャンネルに対応する番組に対して、視聴制限を実行する旨の設定がされているか否かを、番組制限記憶部１２１に格納された番組制限情報に基づいて判定するものである。
【００７５】
具体的には、番組制限判定部１１１は、チャンネル設定部１１０によって設定されたチャンネルで受信中の番組の番組識別情報を番組情報テーブル（＝ＥＩＴ）から取得し、取得された番組識別情報に対応する番組制限情報を読み出して、読み出された番組制限情報に基づいて視聴制限を実行する旨の設定がされているか否かを判定するものである。また、番組制限判定部１１１は、チャンネル設定部１１０によって設定されたチャンネルで受信中の番組の番組終了時刻情報を番組情報テーブル（＝ＥＩＴ）から取得し、受信中の番組の番組終了時刻に到達したか否かを判定し、番組終了時刻に到達したと判定された場合には、チャンネル設定部１１０によって設定されたチャンネルで受信中の番組の番組識別情報を番組情報テーブル（＝ＥＩＴ）から取得し、取得された番組識別情報に対応する番組制限情報を読み出して、読み出された番組制限情報に基づいて視聴制限を実行する旨の設定がされているか否かを判定するものである。
【００７６】
番組制限実行部１１２（番組制限実行手段に相当する）は、番組制限判定部１１１によって視聴制限を実行する旨の設定がされていると判定された場合に、チャンネル設定部１１０によって設定された１のチャンネルに対応する番組（＝チャンネルで受信中の番組）の視聴をブロックすると共に、ディスプレイ１８３（図１参照）に視聴をブロックする旨の表示（例えば、「視聴制限されています」との文字情報の表示：図１０参照）をＯＳＤ等で行うものである。
【００７７】
チャンネル制限判定部１１３（チャンネル制限判定手段に相当する）は、チャンネル設定部１１０によって１のチャンネルが設定された場合に、設定された１のチャンネルに対して、視聴制限を実行する旨の設定がされているか否かを、チャンネル制限記憶部１２２に格納されたチャンネル制限情報に基づいて判定するものである。
【００７８】
具体的には、チャンネル制限判定部１１３は、チャンネル設定部１１０によって設定された１のチャンネルのチャンネル識別情報に対応するチャンネル制限情報をチャンネル制限記憶部１２２から読み出して、読み出されたチャンネル制限情報に基づいて視聴制限を実行する旨の設定がされているか否かを判定するものである。
【００７９】
チャンネル制限実行部１１４（チャンネル制限実行手段に相当する）は、チャンネル制限判定部１１３によって視聴制限を実行する旨の設定がされていると判定された場合に、チャンネル設定部１１０によって設定された１のチャンネルの視聴をブロックすると共に、ディスプレイ１８３（図１参照）に視聴をブロックする旨の表示（例えば、「視聴制限されています」との文字情報の表示：図１０参照）を予め設定された所定期間（例えば、１０秒間）だけＯＳＤ等で行うものである。
【００８０】
ユーザ判定部１１５（ユーザ判定手段の一部に相当する）は、番組制限判定部１１１及びチャンネル制限判定部１１３の少なくとも一方によって視聴制限を実行する旨の設定がされているか否かを判定し、視聴制限を実行する旨の設定がされていると判定された場合に、リモコン２に配設された解除キー２４に対応する操作信号が受け付けられたか否かを判定するものである。また、ユーザ判定部１１５は、解除キー２４に対応する操作信号が受け付けられたと判定された場合に、リモコン２に配設されたテンキー２３を介して暗証番号情報を受け付け、受け付けられた暗証番号情報が、予め設定された暗証番号情報と一致するか否かを判定するものである。暗証番号としては、例えば、４桁の数字が予め設定されている。
【００８１】
禁止部１１６（禁止手段に相当する）は、ユーザ判定部１１５によって一致すると判定された場合に、番組制限実行部１１２  及びチャンネル制限実行部１１４の動作を禁止する（＝視聴をブロックする動作を禁止する＝視聴可能とする）と共に、ディスプレイ１８３（図１参照）に視聴をブロックする動作が禁止された旨の表示（例えば、「視聴制限が一時解除されました」との文字情報の表示：図１０参照）を予め設定された所定期間（例えば、１０秒間）だけＯＳＤ等で行うものである。
【００８２】
また、禁止部１１６は、禁止解除受付部１１７によって解除キー２４又はパワーキー２２（図２参照）に対応する操作信号が受け付けられたと判定された場合、チャンネル変更判定部１１８によって他のチャンネルが設定されたと判定された場合、又は、番組判定部１１９によって番組の終了時刻に到達したと判定された場合に、番組制限実行部１１２及びチャンネル制限実行部１１４の動作の禁止を解除する（＝番組制限実行部１１２及びチャンネル制限実行部１１４による視聴をブロックする動作を可能とする）と共に、ディスプレイ１８３（図１参照）に視聴をブロックする旨の表示（例えば、「視聴制限されています」との文字情報の表示：図１０参照）を予め設定された所定期間（例えば、１０秒間）だけＯＳＤ等で行うものである。
【００８３】
禁止解除受付部１１７（禁止解除受付手段の一部に相当する）は、禁止部１１６によって番組制限実行部１１２及びチャンネル制限実行部１１４の動作が禁止されている場合に、リモコン２に配設された解除キー２４（又は、リモコン２に配設されたパワーキー２２）に対応する操作信号が受け付けられたか否かを判定するものである。
【００８４】
チャンネル変更判定部１１８（チャンネル変更判定手段に相当する）は、禁止部１１６によって番組制限実行部１１２及びチャンネル制限実行部１１４の動作が禁止されている場合に、チャンネル設定部１１０によって他のチャンネルが設定されたか否か（＝チャンネルが変更されたか否か）を判定するものである。
【００８５】
番組判定部１１９（番組判定手段に相当する）は、禁止部１１６によって番組制限実行部１１２及びチャンネル制限実行部１１４の動作が禁止されている場合に、番組情報記憶部１２３に基づいて、番組制限実行部１１２及びチャンネル制限実行部１１４の動作が禁止されている番組の終了時刻に到達したか否かを判定するものである。
【００８６】
具体的には、番組制限実行部１１２によって番組の視聴がブロックされている場合には、番組判定部１１９は、番組制限判定部１１１によって番組情報テーブル（＝ＥＩＴ）から取得された番組識別情報に対応する終了時刻情報を番組情報記憶部１２３から読み出して、読み出された終了時刻に到達したか否かを判定するものである。
【００８７】
また、チャンネル制限実行部１１４によって番組の視聴がブロックされている場合には、番組判定部１１９は、チャンネル制限判定部１１３によって視聴制限を実行すると判定された１のチャンネルで受信中の番組の番組識別情報を、図１に示す受信部１５を介して番組情報テーブル（＝ＥＩＴ）から取得し、取得された番組識別情報に対応する終了時刻情報を番組情報記憶部１２３から読み出して、読み出された終了時刻に到達したか否かを判定するものである。
【００８８】
図５は、デジタル放送受信機１（主にＭＰＵ１１）の動作の一例を示すフローチャートである。なお、ここでは、便宜上、予め番組制限情報が設定されて番組制限記憶部１２１に格納されると共に、予めチャンネル制限情報が設定されてチャンネル制限記憶部１２２に格納されている場合について説明する。
【００８９】
まず、ユーザ判定部１１５によって、番組制限判定部１１１及びチャンネル制限判定部１１３の少なくとも一方によって視聴制限を実行する旨の設定がされているか否かの判定が行われる（Ｓ１０１）。視聴制限を実行する旨の設定がされていないと判定された場合（Ｓ１０１でＮＯ）には、図５に示す視聴制限設定処理が実行され（Ｓ１０３）、処理がステップＳ１０７に進められる。視聴制限を実行する旨の設定がされていると判定された場合（Ｓ１０１でＹＥＳ）には、図７に示す視聴制限解除処理が実行され（Ｓ１０５）、処理がステップＳ１０７に進められる。
【００９０】
ステップＳ１０３又はステップＳ１０５の処理が終了した場合には、禁止部１１６によって、番組制限実行部１１２  及びチャンネル制限実行部１１４の動作が禁止されているか否かの判定が行われる（Ｓ１０７）。ここで、禁止部１１６によって、番組制限実行部１１２  及びチャンネル制限実行部１１４の動作が禁止されている状態を、便宜上、「一時解除中である」という。一時解除中ではないと判定された場合（Ｓ１０７でＮＯ）には、図８に示す一時解除実行処理が実行され（Ｓ１０９）、処理がステップＳ１０１に戻されて、ステップＳ１０１以降の処理が繰り返し実行される。一時解除中であると判定された場合（Ｓ１０７でＹＥＳ）、図９に示す一時解除終了処理が実行され（Ｓ１１１）、処理がステップＳ１０１に戻されて、ステップＳ１０１以降の処理が繰り返し実行される。
【００９１】
図６は、図５に示すフローチャートのステップＳ１０３で実行される視聴制限設定処理の一例を示す詳細フローチャートである。まず、チャンネル設定部１１０によって受信するチャンネルが変更されたか否かの判定が行われる（Ｓ２０１）。チャンネルが変更されたと判定された場合（Ｓ２０１でＹＥＳ）には、処理がステップＳ２０５に進められる。チャンネルが変更されていないと判定された場合（Ｓ２０１でＮＯ）には、番組制限判定部１１１によって、受信中の番組が終了したか否かの判定が行われる（Ｓ２０３）。受信中の番組が終了していないと判定された場合（Ｓ２０３でＮＯ）には、処理がリターンされる。
【００９２】
ステップＳ２０１でＹＥＳの場合又はステップＳ２０３でＹＥＳの場合には、チャンネル制限判定部１１３によって、ステップＳ２０１で設定された１のチャンネルに対して視聴制限を実行する旨の設定がされているか否かが判定される（Ｓ２０５）。視聴制限を実行する旨の設定がされていると判定された場合（Ｓ２０５でＹＥＳ）には、処理がステップＳ２０９に進められる。視聴制限を実行する旨の設定がされていないと判定された場合（Ｓ２０５でＮＯ）には、番組制限判定部１１１によって、受信中の番組に対して視聴制限を実行する旨の設定がされているか否かの判定が行われる（Ｓ２０７）。視聴制限を実行する旨の設定がされていないと判定された場合（Ｓ２０７でＮＯ）には、処理がリターンされる。視聴制限を実行する旨の設定がされていると判定された場合（Ｓ２０７でＹＥＳ）、又は、ステップＳ２０５でＹＥＳの場合には、番組制限実行部１１２又はチャンネル制限実行部１１４によって、視聴制限が実行され（＝番組の視聴がブロックされ）（Ｓ２０９）、処理がリターンされる。
【００９３】
図７は、図５に示すフローチャートのステップＳ１０５で実行される視聴制限解除処理の一例を示す詳細フローチャートである。まず、チャンネル設定部１１０によって受信するチャンネルが変更されたか否かの判定が行われる（Ｓ３０１）。チャンネルが変更されたと判定された場合（Ｓ３０１でＹＥＳ）には、処理がステップＳ３０５に進められる。チャンネルが変更されていないと判定された場合（Ｓ３０１でＮＯ）には、番組制限判定部１１１によって、受信中の番組が終了したか否かの判定が行われる（Ｓ３０３）。受信中の番組が終了していないと判定された場合（Ｓ３０３でＮＯ）には、処理がリターンされる。
【００９４】
ステップＳ３０１でＹＥＳの場合又はステップＳ３０３でＹＥＳの場合には、チャンネル制限判定部１１３によって、ステップＳ３０１で設定された１のチャンネルに対して視聴制限を実行する旨の設定がされているか否かが判定される（Ｓ３０５）。視聴制限を実行する旨の設定がされていると判定された場合（Ｓ３０５でＹＥＳ）には、処理がリターンされる。視聴制限を実行する旨の設定がされていないと判定された場合（Ｓ３０５でＮＯ）には、番組制限判定部１１１によって、受信中の番組に対して視聴制限を実行する旨の設定がされているか否かの判定が行われる（Ｓ３０７）。視聴制限を実行する旨の設定がされていると判定された場合（Ｓ３０７でＹＥＳ）には、処理がリターンされる。視聴制限を実行する旨の設定がされていないと判定された場合（Ｓ３０７でＮＯ）には、チャンネル制限実行部１１４及び番組制限実行部１１２によって視聴制限が解除され（番組の視聴のブロックが解除され）（Ｓ３０９）、処理がリターンされる。
【００９５】
図８は、図５に示すフローチャートのステップＳ１０９で実行される一時解除実行処理の一例を示す詳細フローチャートである。まず、ユーザ判定部１１５によって、解除キー２４に対応する操作信号が受け付けられたか否かが判定される（Ｓ４０１）。解除キー２４に対応する操作信号が受け付けられていないと判定された場合（Ｓ４０１でＮＯ）には、処理がリターンされる。解除キー２４に対応する操作信号が受け付けられたと判定された場合（Ｓ４０１でＹＥＳ）には、ユーザ判定部１１５によって、テンキー２３を介して暗証番号情報が受け付けられる（Ｓ４０３）。そして、ユーザ判定部１１５によって、ステップＳ４０３において受け付けられた暗証番号が予め設定された暗証番号情報と一致するか否かが判定される（Ｓ４０５）。一致しないと判定された場合（Ｓ４０５でＮＯ）には、処理がリターンされる。一致すると判定された場合（Ｓ４０５でＹＥＳ）には、禁止部１１６によって、番組制限実行部１１２  及びチャンネル制限実行部１１４の動作が禁止され（＝視聴制限が一時解除され）（Ｓ４０７）、処理がリターンされる。
【００９６】
図９は、図５に示すフローチャートのステップＳ１１１で実行される一時解除終了処理の一例を示す詳細フローチャートである。まず、禁止解除受付部１１７によって、解除キー２４に対応する操作信号が受け付けられたか否かが判定される（Ｓ５０１）。解除キー２４に対応する操作信号が受け付けられたと判定された場合（Ｓ５０１でＹＥＳ）には、処理がステップＳ５０９に進められる。解除キー２４に対応する操作信号が受け付けられていないと判定された場合（Ｓ５０１でＮＯ）には、禁止解除受付部１１７によって、パワーキー２２に対応する操作信号が受け付けられたか否かが判定される（Ｓ５０３）。
【００９７】
パワーキー２２に対応する操作信号が受け付けられたと判定された場合（Ｓ５０３でＹＥＳ）には、処理がステップＳ５０９に進められる。パワーキー２２に対応する操作信号が受け付けられていないと判定された場合（Ｓ５０３でＮＯ）には、チャンネル変更判定部１１８によって、チャンネル設定部１１０によりチャンネルが変更されたか否かが判定される（Ｓ５０５）。チャンネルが変更されたと判定された場合（Ｓ５０５でＹＥＳ）には、処理がステップＳ５０９に進められる。チャンネルが変更されていないと判定された場合（Ｓ５０５でＹＥＳ）には、番組判定部１１９によって、番組の終了時刻に到達したか否かが判定される（Ｓ５０７）。番組の終了時刻に到達していないと判定された場合（Ｓ５０７でＮＯ）には、処理がリターンされる。ステップＳ５０１でＹＥＳ、ステップＳ５０３でＹＥＳ、ステップＳ５０５でＹＥＳ、又は、番組の終了時刻に到達したと判定された場合（Ｓ５０７でＹＥＳ）には、禁止部１１６によって、番組制限実行部１１２及びチャンネル制限実行部１１４の動作の禁止が解除され（＝視聴をブロックする動作が可能とされ）（Ｓ５０９）、処理がリターンされる。
【００９８】
図１０は、番組制限実行部１１２、チャンネル制限実行部１１４及び禁止部１１６によってディスプレイ１８３に表示される画面の一例を示す画面図である。（ａ）は、図６に示すフローチャートのステップＳ２０９、図９に示すフローチャートのステップＳ５０９において、視聴制限を実行する（又は再開する）場合に表示される視聴制限画面の画面図であり、（ｂ）は、図８に示すフローチャートのステップＳ４０７において視聴制限を一時解除する場合に表示される一時解除画面の画面図である。
【００９９】
（ａ）に示す視聴制限画面３００には、ガイダンス表示部３０１が表示され、ガイダンス表示部３０１には、視聴をブロックする動作が実行されている旨のガイダンス情報（ここでは、「視聴制限されています」との文字情報）が表示されている。（ｂ）に示す一時解除画面３１０には、ガイダンス表示部３１１が表示され、ガイダンス表示部３１１には、視聴をブロックする動作が禁止された旨のガイダンス情報（ここでは、「視聴制限が一時解除されました」との文字情報）が表示されている。
【０１００】
このようにして、受信可能な番組毎に、視聴制限を行うか否かの設定情報である番組制限情報が番組制限記憶部１２１に格納されており、リモコン２に配設されたテンキー２３又はチャンネルキー２５（図２参照）に対応する操作信号が受け付けられた場合に、受け付けられた操作信号に基づいて受信するチャンネルが設定され、１のチャンネルが設定された場合に、設定された１のチャンネルに対応する番組に対して、視聴制限を実行する旨の設定がされているか否かが、番組制限記憶部１２１に格納された番組制限情報に基づいて判定される。そして、視聴制限を実行する旨の設定がされていると判定された場合に、設定された１のチャンネルに対応する番組の視聴がブロックされると共に、リモコン２に配設されたテンキー２３（図２参照）を介して、ユーザを識別する情報である個人識別情報（ここでは、暗証番号情報）が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【０１０１】
すなわち、リモコン２に配設されたテンキー２３を介して、ユーザを識別する情報である個人識別情報が受け付けられて、受け付けられた個人識別情報が、予め設定された個人識別情報と一致するか否かが判定され、一致すると判定された場合に、番組の視聴をブロックする動作が禁止されるため、番組制限記憶部１２１に格納された番組制限情報を変更することなく番組の視聴をブロックする動作が禁止される（＝番組を視聴することができる）ので、利便性良好に視聴制限を解除することができるのである。
【０１０２】
また、受信可能なチャンネル毎に、視聴制限を行うか否かの設定情報であるチャンネル制限情報がチャンネル制限記憶部１２２に格納されており、リモコン２に配設されたテンキー２３又はチャンネルキー２５（図２参照）に対応する操作信号が受け付けられた場合に、受信するチャンネルが設定され、１のチャンネルが設定された場合に、設定された１のチャンネルに対して、視聴制限を実行する旨の設定がされているか否かが、チャンネル制限記憶部１２２に格納されたチャンネル制限情報に基づいて判定される。そして、視聴制限を実行する旨の設定がされていると判定された場合に、設定された１のチャンネルの視聴がブロックされると共に、リモコン２に配設されたテンキー２３（図２参照）を介して、ユーザを識別する情報である個人識別情報（ここでは、暗証番号情報）が受け付けられて、受け付けられた個人識別情報が、予め設定された個人識別情報と一致するか否かが判定され、一致すると判定された場合に、番組の視聴をブロックする動作が禁止されるため、利便性良好に視聴制限を解除することができる。
【０１０３】
すなわち、リモコン２に配設されたテンキー２３（図２参照）を介して、ユーザを識別する情報である個人識別情報（ここでは、暗証番号情報）が受け付けられて、受け付けられた個人識別情報が、予め設定された個人識別情報と一致するか否かが判定され、一致すると判定された場合に、番組の視聴をブロックする動作が禁止されるため、チャンネル制限記憶部１２２に格納されたチャンネル制限情報を変更することなく番組の視聴をブロックする動作が禁止される（＝番組を視聴することができる）ので、利便性良好に視聴制限を解除することができるのである。
【０１０４】
更に、個人識別情報として暗証番号情報が用いられるため、予め設定された個人識別情報と一致するか否かの判定を容易に行うことができるので、更に利便性良好に視聴制限を解除することができる。
【０１０５】
加えて、リモコン２から、複数のキーの内、予め設定された特定のキー（ここでは、解除キー２４：図２参照）に対応する操作信号を受け付けたか否かが判定され、特定のキーに対応する操作信号を受け付けたと判定された場合に、暗証番号情報が受け付けられるため、更に利便性良好に視聴制限を解除することができる。
【０１０６】
すなわち、視聴制限を解除する場合には、リモコン２に配設された特定のキー（ここでは、解除キー２４：図２参照）を押下した後、暗証番号を入力すればよいため、更に利便性良好に視聴制限を解除することができるのである。
【０１０７】
また、番組の視聴をブロックする動作が禁止されている場合に、リモコン２に配設された特定のキー（ここでは、解除キー２４：図２参照）に対応する操作信号を受け付けたか否かが判定され、特定のキーに対応する操作信号が受け付けられたと判定された場合に、番組の視聴をブロックする動作の禁止が解除される（＝番組の視聴がブロックされる）ため、利便性良好に解除された視聴制限を動作させることができる。
【０１０８】
すなわち、解除された視聴制限を動作させる場合には、リモコン２に配設された特定のキー（ここでは、解除キー２４：図２参照）を押下すればよいため、利便性良好に解除された視聴制限を動作させることができるのである。例えば、視聴制限の対象である番組を視聴中に、子供等がデジタル放送受信機１の配設されている部屋に入ってきた場合に、簡単な操作（＝特定のキーを押下する操作）で解除された視聴制限を動作させることができるのである。
【０１０９】
更に、番組の視聴をブロックする動作が禁止されている場合に、他のチャンネルが設定されたか否かが判定され、他のチャンネルが設定されたと判定された場合に、番組の視聴をブロックする動作の禁止が解除される（＝番組の視聴がブロックされる）ため、利便性良好に解除された視聴制限を動作させることができる。
【０１１０】
すなわち、１のチャンネルで受信されている番組の視聴をブロックする動作が禁止されている場合に、他のチャンネルが設定された場合（＝チャンネルが変更された場合）に、１のチャンネルで受信されている番組の視聴をブロックする動作の禁止が解除される（＝番組の視聴がブロックされる）ため、利便性良好に解除された視聴制限を動作させることができるのである。
【０１１１】
例えば、視聴制限の対象である番組を視聴中に、子供等がデジタル放送受信機１の配設されている部屋に入ってきた場合に、簡単な操作（＝チャンネルを変更する操作）で解除された視聴制限を動作させることができるのである。
【０１１２】
加えて、番組毎に、開始時刻情報及び終了時刻情報が番組情報記憶部１２３に格納されており、番組の視聴をブロックする動作が禁止されている場合に、番組情報記憶部１２３に基づいて、視聴をブロックする動作が禁止されている番組の終了時刻に到達したか否かが判定される。そして、番組の終了時刻に到達したと判定された場合には、番組の視聴をブロックする動作の禁止が解除されるため、利便性良好に解除された視聴制限を動作させることができる。
【０１１３】
すなわち、視聴をブロックする動作が禁止されている番組の終了時刻に到達したと判定された場合には、番組の視聴をブロックする動作の禁止が解除されるため、何らかの事情により、視聴者が解除された視聴制限を動作させる操作を行わなかった場合であっても、利便性良好に解除された視聴制限を動作させることができるのである。
【０１１４】
例えば、番組の視聴をブロックする動作が禁止されている状態で、親等の視聴者が急用で外出した場合であっても、視聴をブロックする動作が禁止されている番組の終了時刻に到達したと判定された場合には、番組の視聴をブロックする動作の禁止が解除されるため、利便性良好に解除された視聴制限を動作させることができるのである。
【０１１５】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。ただし、ＣＡＤに相当する番組視聴制限情報、及び、ＲＲＴに相当する視聴制限テーブル情報が取得可能な形態である必要がある。
【０１１６】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【０１１７】
（Ｃ）本実施形態では、チャンネル設定部１１０、ユーザ判定部１１５、及び、禁止解除受付部１１７が、リモコン２を介してユーザからの操作入力を受け付ける場合について説明したが、チャンネル設定部１１０、ユーザ判定部１１５、及び、禁止解除受付部１１７の内、少なくとも１の機能部が、操作部１４を介してユーザからの操作入力を受け付ける形態でもよい。
【０１１８】
（Ｄ）本実施形態では、ユーザ判定部１１５が、個人識別情報として暗証番号情報を用いる場合について説明したが、その他の個人識別情報を用いる形態でもよい。例えば、ユーザ判定部１１５が、個人識別情報として指紋情報、静脈情報、網膜情報等の生体認証情報を用いる形態でもよい。この場合には、更に確実に個人認証を行うことができる。
【０１１９】
（Ｅ）本実施形態では、ユーザ判定部１１５が、リモコン２に配設された解除キー２４に対応する操作信号が受け付けられた際に、リモコン２に配設されたテンキー２３を介して暗証番号情報を受け付ける場合について説明したが、番組制限判定部１１１及びチャンネル制限判定部１１３の少なくとも一方によって視聴制限を実行する旨の設定がされた（＝視聴制限が開始された）時点から所定期間（例えば、１０秒間）だけ、ユーザ判定部１１５が、リモコン２に配設されたテンキー２３を介して暗証番号情報を受け付ける形態でもよい。この場合には、一時解除を行う場合に、リモコン２に配設された解除キー２４を押下する必要がないため、利便性を更に向上することができる。
【図面の簡単な説明】
【０１２０】
【図１】は、本発明に係るデジタル放送受信機の一例を示すブロック図である。
【図２】は、リモコンの外観の一例を示す図である。
【図３】は、本発明に係るデジタル放送受信機における主要部の構成の一例を示すブロック図である。
【図４】は、視聴制限テーブルの一例を示す図表である。
【図５】は、デジタル放送受信機（主にＭＰＵ）の動作の一例を示すフローチャートである。
【図６】は、図５に示すフローチャートのステップＳ１０３で実行される視聴制限設定処理の一例を示す詳細フローチャートである。
【図７】は、図５に示すフローチャートのステップＳ１０５で実行される視聴制限解除処理の一例を示す詳細フローチャートである。
【図８】は、図５に示すフローチャートのステップＳ１０９で実行される一時解除実行処理の一例を示す詳細フローチャートである。
【図９】は、図５に示すフローチャートのステップＳ１１１で実行される一時解除終了処理の一例を示す詳細フローチャートである。
【図１０】は、番組制限実行部、チャンネル制限実行部及び禁止部によってディスプレイに表示される画面の一例を示す画面図である。
【符号の説明】
【０１２１】
１    デジタル放送受信機（放送受信装置）
１１    ＭＰＵ
１１０    チャンネル設定部（チャンネル設定手段の一部）
１１１    番組制限判定部（番組制限判定手段）
１１２    番組制限実行部（番組制限実行手段）
１１３    チャンネル制限判定部（チャンネル制限判定手段）
１１４    チャンネル制限実行部（チャンネル制限実行手段）
１１５    ユーザ判定部（ユーザ判定手段の一部）
１１６    禁止部（禁止手段の一部）
１１７    禁止解除受付部（禁止解除受付手段の一部）
１１８    チャンネル変更判定部（チャンネル変更判定手段）
１１９    番組判定部（番組判定手段）
１２    ＲＡＭ
１２１    番組制限記憶部（番組制限記憶手段）
１２２    チャンネル制限記憶部（チャンネル制限記憶手段）
１２３    番組情報記憶部（番組情報記憶手段）
１４    操作部
１５    受信部
１８    画像出力部
１８３    ディスプレイ（モニタ）
２    リモコン（チャンネル設定手段の一部、ユーザ判定手段の一部、禁止解除受付手段の一部）
２２    パワーキー（禁止解除受付手段の一部）
２３    テンキー（チャンネル設定手段の一部、ユーザ判定手段の一部）
２４    解除キー（ユーザ判定手段の一部、禁止解除受付手段の一部）
２５    チャンネルキー（チャンネル設定手段の一部）
【図１】
2008167184.tif 000003
【図２】
2008167184.tif 000004
【図３】
2008167184.tif 000005
【図４】
2008167184.tif 000006
【図５】
2008167184.tif 000007
【図６】
2008167184.tif 000008
【図７】
2008167184.tif 000009
【図８】
2008167184.tif 000010
【図９】
2008167184.tif 000011
【図１０】
2008167184.tif 000012